(57)【要約】【課題】顔料など微粒子を用いた色材の散乱異方性を評価する。【解決手段】コンピュータ１００は測定装置２００に対して測定を指示し、測定条件（後方散乱の測定角度θ１、前方散乱の測定角度θ２）を指定する。測定装置２００は測定条件に応じて分光光度計２０３、２０４を移動させ、面積率１００％の単色カラー色材層からなるサンプル面２０５に垂直に光源２０１から光を照射させ、各測定点の分光特性値を測定する。コンピュータ１００は分光特性値を基に前方散乱強度と後方散乱強度を決定し、散乱強度比率（前方散乱強度／後方散乱強度）を算出し、散乱強度比率が所定の値以上のとき散乱異方性があると判定する。【選択図】図５
2010038836.tif 000002
【特許請求の範囲】
【請求項１】
色材の散乱異方性を評価する方法であって、面積率１００％の単色カラー色材層からなるサンプルを透過基材上に形成するサンプル形成工程と、前記形成したサンプル面に垂直に入射する光に対し、後方散乱する光の強度と前方散乱する光の強度とを測定する測定工程と、前記後方散乱強度に対する前方散乱強度の比率（以下、散乱強度比率）を算出する算出工程と、前記算出された散乱強度比率が所定の値以上の場合に、散乱異方性があると判定する判定工程を含むことを特徴とする色材の散乱異方性評価方法。
【請求項２】
前記所定の値は、後方散乱強度より前方散乱強度が大きい第１の色材層と、前記第１の色材層と異なる色特性をもつ第２の色材層とを用いて、反射基材上に２次色のカラー色材層を形成する際に、前記第１の色材層を上層、前記第２の色材層を下層に設置したときの色再現と、前記第２の色材層を上層、前記第１の色材層を下層に設置したときの色再現との色差が視覚認識レベルを超えたときの前記第１の色材層の散乱強度比率であることを特徴とする請求項１記載の色材の散乱異方性評価方法。
【請求項３】
前記測定工程において、前記サンプル面に垂直に入射する光の入射光軸と後方散乱する光の方向とのなす角度をθ１、前記入射光軸と前方散乱する光の方向とのなす角度をθ２としたとき、θ２＝π−θ１（ｒａｄ）を満たす散乱強度を測定することを特徴とする請求項１記載の色材の散乱異方性評価方法。
【請求項４】
前記測定工程において、複数方向の前方散乱強度および後方散乱強度を測定し、前記算出工程では前記複数方向の各強度の統計的な値を用いて散乱強度比率を算出することを特徴とする請求項１記載の色材の散乱異方性評価方法。
【請求項５】
色材の散乱異方性を評価する装置であって、面積率１００％の単色カラー色材層からなるサンプルを透過基材上に形成するサンプル形成手段と、前記形成したサンプル面に垂直に入射する光に対し、後方散乱する光の強度と前方散乱する光の強度とを測定する測定手段と、前記後方散乱強度に対する前方散乱強度の比率（以下、散乱強度比率）を算出する算出手段と、前記算出された散乱強度比率が所定の値以上の場合に、散乱異方性があると判定する判定手段を含むことを特徴とする色材の散乱異方性評価装置。
【請求項６】
請求項１乃至４のいずれか１項に記載の色材の散乱異方性評価方法をコンピュータに実現させるためのプログラム。
【請求項７】
請求項１乃至４のいずれか１項に記載の色材の散乱異方性評価方法をコンピュータに実現させるためのプログラムを記録したコンピュータ読み取り可能な記録媒体。
【発明の詳細な説明】
【技術分野】
【０００１】
本発明は、色材の散乱異方性を評価する方法、装置、プログラムおよび記録媒体に関し、電子写真方式を用いたカラー複写機、カラープリンタ、カラーＦＡＸ等の画像形成装置に好適な技術に関する。
【背景技術】
【０００２】
印刷用インクや電子写真用トナーに使用される一般的な色材は、耐光性の確保を目的として顔料を使用することが多い。これら顔料からなる色材層に白色光を照射すると、ある波長域の光を吸収するとともに散乱光を発生する。散乱理論から推測できるように、散乱光は顔料が微粒子であるがゆえに発生し、また異方性を持つ。これを図１で説明する。図１は顔料に光が当たる様子を示す。顔料に光が入射すると、吸収特性によって光が吸収されるとともに散乱光が発生する。この散乱光のうち、入射光に対し前に発生するのを前方散乱成分、後ろに発生するのを後方散乱成分とよぶ。前方散乱の強度と後方散乱の強度が大きく異なる場合は「散乱異方性を持つ」と言い、一般には後方散乱強度よりも前方散乱強度の方が大きい。また、入射光から顔料による吸収散乱成分を除いた光を透過光とよぶ。
【０００３】
散乱や散乱異方性は顔料に関わらず「粒」であれば起こる現象のため、液晶分野では、この特性を活かして色再現を向上させることを目的とする技術がある（例えば、特許文献１〜３を参照）。
【０００４】
一方、紙などの反射基材の色再現性の向上を目的として、顔料散乱を扱う技術が存在する（例えば、特許文献４、５を参照）。特許文献４、５では、後方散乱の大きさが色再現に及ぼす影響について述べているが、散乱異方性を考慮していない。
【０００５】
本発明者の実験によると、反射基材上に形成された色材層の色再現において、色材層の散乱異方性が２次色再現に大きく影響することが分かった。図２は、電子写真によるレッド再現と散乱異方性の関係をａ＊ｂ＊色座標平面に表す。ここで、出力画像はトナー上層をイエロー、下層をマゼンタで構成する。イエロートナー層は分光透過率、及び前方散乱と後方散乱の和が同一で、後方散乱強度に対する前方散乱強度の比率のみが異なる。この比率を「散乱強度比率」と記述する。また、マゼンタは同じトナー層を使用している。
【０００６】
図２（ａ）によると、イエロートナー層の散乱強度比率が大きい方が彩度が拡大する。これに対し、図２（ｂ）は、図２（ａ）のトナー層の順番を逆にした場合のレッド再現をａ＊ｂ＊色座標平面に表す。つまり、トナー上層をマゼンタ、下層をイエローで構成し、イエロートナー層のみ散乱強度比率が異なる。図２（ｂ）によると、イエロートナー層の散乱強度比率が大きくても色再現への影響は少ない。つまり、２次色において、トナー層の散乱強度比率と色重ね順は色再現に影響する。また、このように色再現への影響がある場合の散乱強度比率を「散乱異方性」と記述する。電子写真における色重ね順は、トナー塵など色再現以外の要因で決定するため、反射基材に対し最上層に設定されるトナー層の散乱強度比率は色再現において重要な意味を持つ。
【０００７】
【特許文献１】特開２００７−４１４９５号公報
【特許文献２】特開２００７−１０１６７９号公報
【特許文献３】特開２００４−８７２３４号公報
【特許文献４】特許第３７５５３４８号公報
【特許文献５】特開２００４−３４１２４２号公報
【発明の開示】
【発明が解決しようとする課題】
【０００８】
図３、４を用いて、散乱強度比率と色重ね順で２次色再現が変わる理由を説明する。図３（ａ）は面積率１００％のシアン、マゼンタ、イエロートナー層の分光透過率、図３（ｂ）は散乱スペクトルを示す。図３（ｂ）によると、イエローの散乱スペクトルは５００〜５５０ｎｍ、すなわち図３（ａ）におけるマゼンタの吸収帯域にピークを持つ。一般には、ピークの高さを「散乱強度」と呼び、後方散乱のそれを「後方散乱強度」、前方散乱のそれを「前方散乱強度」と呼ぶ。イエロートナー層で発生する散乱はマゼンタトナー層で吸収される。よって、これらのトナーで反射基材にレッド層を形成する場合、イエロートナーが上層に位置すれば（図４（ａ））、後方散乱成分は受光されるが前方散乱はマゼンタトナー層で吸収される。逆に、イエロートナーが下層に位置すれば（図４（ｂ））、後方および前方散乱ともにマゼンタトナー層で吸収される。５００ｎｍ以上の可視光域におけるイエローの散乱成分はレッドの彩度を落とす要因となるため、イエロートナー層が上層に位置する場合は、後方散乱強度に対する前方散乱強度の比率が高いほうが色再現には有利である。
【０００９】
散乱強度比率は顔料の結晶構造などにより異なり、主に顔料の分散径によって異なる。散乱理論によると、ミー散乱は粒子の大きさが波長と同程度（大きさが波長の１／１０程度より大きい）の散乱である。光の波長に対して相対的な粒子の大きさが大きくなると前方散乱が後方散乱に比べて急激に増大し、散乱が異方的になる。そして、散乱強度比率と色再現の上記した関係が電子写真トナーに限らず、印刷用インクなど散乱異方性がある色材であれば成り立つことから、散乱異方性を評価する手法が求められていた。
【００１０】
本発明の目的は、顔料など微粒子を用いた色材の散乱異方性を評価する方法、装置、プログラムおよび記録媒体を提供することにある。
【課題を解決するための手段】
【００１１】
本発明は、色材の散乱異方性を評価する方法であって、面積率１００％の単色カラー色材層からなるサンプルを透過基材上に形成するサンプル形成工程と、前記形成したサンプル面に垂直に入射する光に対し、後方散乱する光の強度と前方散乱する光の強度とを測定する測定工程と、前記後方散乱強度に対する前方散乱強度の比率（以下、散乱強度比率）を算出する算出工程と、前記算出された散乱強度比率が所定の値以上の場合に、散乱異方性があると判定する判定工程を含むことを最も主要な特徴とする。
【発明の効果】
【００１２】
請求項１、５〜７：透過基材上に形成した色材層からなるサンプル面に垂直に入射する光に対し、前方に散乱する光の強度と、後方に散乱する光の強度とを比較するので、散乱異方性の評価を行うことが可能である。
【００１３】
請求項２：散乱異方性の定義に視覚認識レベルを導入するので、人間の感覚に適応した散乱異方性の評価を行うことが可能である。
【００１４】
請求項３：サンプル面に対して対称な角での前方散乱強度と後方散乱強度との比較を行うので、高精度に散乱異方性の評価を行うことが可能である。
【００１５】
請求項４：複数の角度で測定した前方散乱強度と後方散乱強度との比較を行うので、高精度に散乱異方性の評価を行うことが可能である。
【発明を実施するための最良の形態】
【００１６】
以下、発明の実施の形態について図面により詳細に説明する。以下の実施例では、レッドの色再現を行う場合のイエロートナー層の散乱異方性の評価例について説明するが、他の２次色や単色トナー層についても同様の評価方法が適用できる。
【００１７】
実施例１
図５（ａ）は、本発明の実施例に係る、測定および評価を行うためのシステム構成例を示す。本システムでは、ＯＨＰや透明フィルムなどの透過基材に形成された面積率１００％の単色ベタ画像の偏角分光透過率を測定することで、散乱異方性を評価することができる。本システムは、評価サンプルを作成するための画像形成装置３００と、偏角分光透過率を測定する測定装置２００と、画像形成装置３００及び測定装置２００を制御し、散乱異方性の評価を実行するコンピュータ１００とを含む。
【００１８】
測定装置２００は、例えば偏角分光光度計である。また、コンピュータ１００は測定装置２００を利用する情報処理装置の一例である。画像形成装置３００は、印刷装置、プリンタ、複写機または複合機として実現可能である。画像形成装置３００は、コンピュータ１００からの指示を受け、散乱異方性を評価するために単色ベタ画像を透過基材に形成する。基材は、記録媒体、印刷媒体、記録材、用紙、シート、転写材などと呼ばれることもある。
【００１９】
図５（ｂ）は、測定装置の構成を示す。測定装置２００は、測定光源２０１、円環状のレールおよびレール上を移動する可動部２０２、可動部に取り付けられた分光光度計２０３、２０４を備えている。分光光度計２０３は後方散乱を、分光光度計２０４は前方散乱を受光する。測定対象となる透過サンプル２０５はサンプル固定台に設置される。
【００２０】
可動部２０２によって、分光光度計２０３は−π／２≦θ１＜π／２、分光光度計２０４はπ／２≦θ２＜３π／２の範囲で移動する。図５（ｂ）にθ１、θ２の回転座標系を示す。θ１、θ２は、サンプル面に対する入射光線軸からの角度である。なお、可動部２０２は、コンピュータ１００からの指示で分光光度計２０３、２０４を指定された回転座標へ移動させる。分光光度計２０３、２０４は、その座標上で可視光域（波長３８０〜７３０ｎｍ）の光を受光するための測定を実行する。
【００２１】
図６は、コンピュータの構成例を示す。コンピュータ１００はＣＰＵ１０１、ＲＯＭ１０２、ＲＡＭ１０３、ＨＤＤ１０４、操作部１０５、画像処理装置１０６、通信ＩＦ１０７、データ処理装置１０８、Ａ／Ｄ変換器１０９、駆動部１１０、および表示装置１１１とからなる。操作部１０５を通じて、ユーザは手動操作もしくは自動操作により分光光度計２０３、２０４を移動させることができる。画像処理装置１０６には、画像処理に関するデータ処理に用いる各種アプリケーションソフトやプリンタドライバ等のソフトウェアが搭載されていて、ユーザの指示によりデバイス固有の色信号（ＲＧＢ、ＣＭＹ、ＣＭＹＫなど）を、画像形成装置３００固有の色信号に変換する処理機能、および変換したデータを画像形成装置３００に送信する機能を有している。
【００２２】
本実施例では、アプリケーションソフトを用いて図７に示す面積率１００％の単色ベタ画像データを、ユーザがプリンタドライバを介して画像形成装置３００に送信する。通信インタフェース１０７は、ＵＳＢインタフェースなど、コンピュータ１００と通信するための通信ユニットである。分光光度計２０３、２０４により測定されたデータは、この通信インタフェース１０７を介してコンピュータ１００へ転送される。データ処理装置１０８は測定装置２００からデータを受け取って散乱異方性の評価を行い、その結果を表示装置１１１に出力する。Ａ／Ｄ変換器１０９は、分光光度計２０３、２０４から出力されるアナログ信号をデジタル信号に変換する。駆動部１１０は、測定装置２００の可動部２０２をユーザが指定した方向に移動させるためのモータなどである。表示装置１１１は、ユーザに対して各種情報を表示するための表示ユニットである。操作部１０５は、ポインティングデバイスやキーボードなどの入力ユニットである。通信インタフェース１０７は、ＵＳＢインタフェースなど、測定装置２００と通信するための通信ユニットである。  
画像形成装置３００は、コンピュータ１００が送信した面積率１００％の単色ベタ画像データをＯＨＰなどの透過基材に形成し、透過サンプルを作成する。画像形成装置として、例えばカラー出力が可能なプリンタ、複写装置、及びそれらの複合機、印刷機器などであり、画像形成材を用いて画像を形成する装置であれば、特に限定されない。    
図８は、コンピュータが実行する実施例１の散乱異方性評価処理のフローチャートである。散乱異方性評価装置として機能するコンピュータ１００の指示により、透過基材に対して画像形成装置３００が面積率１００％の単色ベタ画像、すなわち透過サンプルを形成し、また形成された透過サンプル２０５が測定装置のサンプル固定台に設置されているものとする。
【００２３】
ステップＳ４０１において、コンピュータ１００のＣＰＵ１０１は、測定条件の指定画面を表示装置１１１に表示し、操作部１０５から入力される情報に基づいて測定条件を設定する。例えば、図５（ｂ）における後方散乱の測定角度θ１、および前方散乱の測定角度θ２が測定条件として指定される。
【００２４】
ミー散乱理論によると、前方散乱と後方散乱の強度分布は図９に示すように入射光線軸に対して対称な形になる。よって、θ２＝π−θ１を満たす角度について測定を行うのが良い。また、反射色を評価するための受光角は４５度であるため、θ１＝４５（度）に設定するのが良い。
【００２５】
ステップＳ４０２において、ＣＰＵ１０１は測定装置２００に対して測定を指示する。この際に、ＣＰＵ１０１は測定条件を測定装置２００に指定する。測定装置２００は、ＣＰＵ１０１から受信した測定条件に応じて分光光度計２０３、２０４を移動させ、各測定点の分光特性値を測定する。さらに、測定装置２００は取得した各測定点の分光特性値をコンピュータ１００に送信する。コンピュータ１００のＣＰＵ１０１は、受信した測定点の分光特性値をＨＤＤ１０４またはＲＡＭ１０３に記憶する。ここで受信される測定データには、分光特性値のデータと、測定位置（測定点の座標（θ１、θ２）など）情報が含まれている。なお、分光特性値のデータには、可視域（３８０〜７３０ｎｍ）の分光特性値または分光特性値から算出された絶対度（ＸＹＺ表色系やＣＩＥ  Ｌ＊ａ＊ｂ＊表色系）や濃度のデータが含まれる。また、測定者の名前、測定時刻、観察光源などの情報が含まれる場合もある。
【００２６】
ステップＳ４０３において、データ処理装置１０８はＨＤＤ１０４またはＲＡＭ１０３に記憶されている分光特性値より前方散乱強度、および後方散乱強度を決定する。例えば、スペクトル最大値を算出し強度とする。
【００２７】
図１０（ａ）は、イエロートナー層の前方散乱および後方散乱の分光特性を示し、横軸は波長、縦軸は分光特性値（透過率）である。スペクトル最大値を強度とする場合、図１０（ａ）の前方散乱強度はＩｆ、後方散乱強度はＩｂとなる。
【００２８】
ステップＳ４０４において、データ処理装置１０８は散乱強度比率を算出し、散乱異方性を評価する。散乱強度比率は後方散乱強度に対する前方散乱強度の比率、すなわちＩｆ／Ｉｂとして算出される。ここで、図１０（ｂ）を用いて散乱異方性とみなされる散乱強度比率の閾値を説明する。図１０（ｂ）は、任意の電子写真によるレッド再現の例である。図１０（ｂ）において、左列はステップＳ４０３で算出したイエロートナー層の散乱強度比率、右列はイエロートナー層とマゼンタトナー層の色重ね順を入れ替えた場合に起こるレッド色の色差（ΔＥ９４）である。なお、マゼンタのトナー特性は同一である。図１０（ｂ）の場合、イエロートナーの比率（左列）が１．６を超えると、色重ね順入れ替えによる色差が人間の視覚認識レベルであるΔＥ９４＝３．０を超える。ここで、ΔＥ９４色差は、ＣＩＥ１９７６Ｌ＊ａ＊ｂ＊表色系から算出される色差式であり、下記式（１）〜（３）で定義される。
【００２９】
【数１】
2010038836.tif 000003
１６４°≦Ｈ１＜３４５°の場合
【００３０】
【数２】
2010038836.tif 000004
３４５°≦Ｈ１＜１６４°の場合  
【００３１】
【数３】
2010038836.tif 000005
【００３２】
ここで、Ｌ１、Ｃ１、Ｈ１は基準色側のＬ＊、Ｃ＊値である。よって、このイエロートナー層では比率１．６以上の場合に、散乱異方性があると判定してよい。本発明者の実験では、散乱強度比率がおおむね１．８程度を超えると散乱異方性があると判定するが、出力する色材や基材の特性にも依存するため、出力条件に応じた閾値設定を行うのが良い。
【００３３】
ステップＳ４０５において、データ処理装置１０８は散乱異方性の評価結果を表示装置１１１から出力する。  
以上説明したように本実施例によれば、画像形成装置３００が面積率１００％の単色ベタ画像を透過基材上に形成し、測定装置２００は測定条件θ１、θ２における分光特性値を測定する。また、コンピュータ１００は分光特性値に基づいて散乱強度比率を算出し、散乱異方性を評価し、結果を表示する。
【００３４】
実施例２：前方散乱、後方散乱の強度に平均値を用いる実施例
上述した実施例１では、θ１＝４５度、θ２＝１３５度の受光角で分光特性の測定を行った。これは、反射色を評価するための一般的な受光角が４５度のためである。しかしながら、図９に示すように、後方散乱内、前方散乱内でも角度依存性があるため、受光角を増やして散乱強度比率を算出すれば、より高精度な散乱異方性の評価が可能である。本実施例では、受光角をある角度周期で指定し、統計的な処理を行うことで散乱異方性を評価する手法について説明する。
【００３５】
図１１は、実施例２の散乱異方性評価処理のフローチャートである。
【００３６】
ステップＳ５０１において、コンピュータ１００のＣＰＵ１０１は、測定条件の指定画面を表示装置１１１に表示し、操作部１０５から入力される情報に基づいて測定条件を設定する。ここで、例えば測定回数ｎが指定されると、後方散乱の受光角であるθ１には１／（２・（ｎ＋１））、２／（２・（ｎ＋１））、‥ｎ／（２・（ｎ＋１））が設定され、前方散乱の受光角であるθ２にはπ−θ１が設定される。
【００３７】
ステップＳ５０２において、測定装置２００はＣＰＵ１０１から受信した測定条件に応じて分光光度計２０３、２０４を移動させ、各測定点の分光特性値を測定し、その分光特性値をコンピュータ１００に送信する。コンピュータ１００のＣＰＵ１０１は、受信した測定点の分光特性値をＨＤＤ１０４またはＲＡＭ１０３に記憶する。
【００３８】
ステップＳ５０３において、測定がｎ回全て終了したか否かの判定が行われ、終了してない場合はステップＳ５０２に戻り測定を続ける。測定が終了している場合はステップＳ５０４に進む。
【００３９】
ステップＳ５０４において、データ処理装置１０８はＨＤＤ１０４またはＲＡＭ１０３に記憶されている分光特性値より前方散乱強度Ｉｆｉ（Ｉ＝１、２‥ｎ）、および後方散乱強度Ｉｂｉを決定する。
【００４０】
ステップＳ５０５において、データ処理装置１０８は、前方散乱強度Ｉｆｉ、および後方散乱強度Ｉｆｂに対して統計処理を行う。また、ステップＳ５０６では散乱強度比率を算出し、散乱異方性の評価を行う。統計処理としては、平均値や中央値、または最頻値を算出すればよい。平均値を用いる場合の散乱強度比をＲａｔｅ（ａｖｅ）とすると、以下の式（４）で算出する。
【００４１】
【数４】
2010038836.tif 000006
Ｒａｔｅ（ａｖｅ）が１．６、もしくはトナーに応じて設定された閾値を超える場合には散乱異方性があるとみなす。ステップＳ５０７において、データ処理装置１０８は結果を表示装置１１１から出力する。  
以上、説明した実施例２では、測定回数を指定し、０＜θ１＜π／２の角度範囲で均等に測定を行うが、例えば比較的散乱が強い範囲（０＜θ１＜π／４）を評価対象範囲としても良い。
【００４２】
実施例３：散乱ピークではなくて散乱スペクトルの平均値などを用いる実施例
上述した実施例では、散乱スペクトル最大値を算出し、散乱強度とした。しかしながら、散乱スペクトルは可視光全域に存在する。本実施例では、散乱強度の算出に広い波長域の情報を用いることで、より高精度に散乱異方性を評価する手法について説明する。
【００４３】
図１２を用いて、可視光全域の散乱スペクトルの積分値を用いて散乱強度を算出する例を説明する。図１２は、イエロートナー層の散乱スペクトル（分光特性）を示し、横軸は波長λ、縦軸は分光特性値である。イエローの分光特性値をＳｂｙ（λ）と記述すると、散乱強度は以下の式（５）で定義できる。
【００４４】
【数５】
2010038836.tif 000007
【００４５】
次に、可視光全域の散乱スペクトルのうち、最も有効な波長域の積分値を用いて散乱強度を算出する例を説明する。例えば、レッドを再現するイエロートナー層の散乱異方性を評価する場合、イエロートナー層から発生する散乱スペクトルで散乱異方性が効くのはマゼンタトナー層で吸収される波長成分である。よって、マゼンタトナー層の分光透過率をＴｍ（λ）（λは波長）とすると、その吸収特性Ｄｍ（λ）は以下の式（６）で表される。
【００４６】
【数６】
2010038836.tif 000008
よって、イエロートナー層の散乱強度は以下の式（７）で定義できる。
【００４７】
【数７】
2010038836.tif 000009
【００４８】
本発明は、前述した実施例の各機能を実現するソフトウェアプログラムを、システム若しくは装置に対して直接または遠隔から供給し、そのシステム等に含まれるコンピュータが該供給されたプログラムコードを読み出して実行することによっても達成される。従って、本発明の機能・処理をコンピュータで実現するために、該コンピュータにインストールされるプログラムコード自体も本発明を実現するものである。つまり、上記機能・処理を実現するためのコンピュータプログラム自体も本発明の一つである。その場合、プログラムの機能を有していれば、オブジェクトコード、インタプリタにより実行されるプログラム、ＯＳに供給するスクリプトデータ等、プログラムの形態を問わない。プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、記録媒体としては、磁気テープ、不揮発性のメモリカード、ＲＯＭ、ＤＶＤ（ＤＶＤ−ＲＯＭ，ＤＶＤ−Ｒ）などもある。
【００４９】
また、プログラムは、クライアントコンピュータのブラウザを用いてインターネットのホームページからダウンロードしてもよい。すなわち、該ホームページから本発明のコンピュータプログラムそのもの、もしくは圧縮され自動インストール機能を含むファイルをハードディスク等の記録媒体にダウンロードしてもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明の構成要件となる場合がある。  
また、本発明のプログラムを暗号化してＣＤ−ＲＯＭ等の記憶媒体に格納してユーザに配布してもよい。この場合、所定条件をクリアしたユーザにのみ、インターネットを介してホームページから暗号化を解く鍵情報をダウンロードさせ、その鍵情報で暗号化されたプログラムを復号して実行し、プログラムをコンピュータにインストールしてもよい。  
また、コンピュータが、読み出したプログラムを実行することによって、前述した実施例の機能が実現されてもよい。なお、そのプログラムの指示に基づき、コンピュータ上で稼動しているＯＳなどが、実際の処理の一部または全部を行ってもよい。もちろん、この場合も、前述した実施例の機能が実現され得る。さらに、記録媒体から読み出されたプログラムが、コンピュータに挿入された機能拡張ボードやコンピュータに接続された機能拡張ユニットに備わるメモリに書き込まれてもよい。そのプログラムの指示に基づき、その機能拡張ボードや機能拡張ユニットに備わるＣＰＵなどが実際の処理の一部または全部を行ってもよい。このようにして、前述した実施例の機能が実現される。
【図面の簡単な説明】
【００５０】
【図１】顔料に光が当たる様子を示す。
【図２】電子写真によるレッド再現と散乱異方性の関係を示す。
【図３】トナー層の分光透過率と散乱スペクトルを示す。
【図４】イエロートナー層が上層／下層に位置する場合の色再現上の課題を説明する図である。
【図５】本発明の実施例に係る、測定／評価のシステム構成例と測定装置の構成例を示す。
【図６】コンピュータの構成例を示す。
【図７】面積率１００％の単色ベタ画像データを示す。
【図８】実施例１の散乱異方性評価処理のフローチャートである。
【図９】前方散乱と後方散乱の強度分布を示す。
【図１０】イエロートナー層の前方散乱および後方散乱の分光特性を示す。
【図１１】実施例２の散乱異方性評価処理のフローチャートである。
【図１２】イエロートナー層の散乱スペクトル（分光特性）を示す。
【符号の説明】
【００５１】
１００  コンピュータ
２００  測定装置
３００  画像形成装置
２０１  光源
２０２  可動部
２０３、２０４  分光光度計
２０５  サンプル
【図１】
2010038836.tif 000010
【図２】
2010038836.tif 000011
【図３】
2010038836.tif 000012
【図４】
2010038836.tif 000013
【図５】
2010038836.tif 000014
【図６】
2010038836.tif 000015
【図７】
2010038836.tif 000016
【図８】
2010038836.tif 000017
【図９】
2010038836.tif 000018
【図１０】
2010038836.tif 000019
【図１１】
2010038836.tif 000020
【図１２】
2010038836.tif 000021